(57)【要約】【課題】  一箇所に止まって洗濯物を円滑に干せると共に取り込むことができる物干し具を提供する。【解決手段】  物干し具は、集合住宅のベランダに設置された界壁等の構造物６に、取り付け具４を介して固定ボルト５によって取り付けられており、洗濯物１０が掛けられたハンガー９の鉤部を物干し具のアーチ状突出部３Ｂに形成された開口部３Ｃに通してハンガー９が紐体３に掛けられており、また、他の洗濯物１０は紐体３に直接掛けられている。紐体３は、その一端が固定ボルト５によって構造物６に取り付けられた棒状の止め具８によって固定されており、紐体３が２つの滑車間を紐体移動方向７に移動しないようにしている。【選択図】  図４
0003109296.tif 000002
【実用新案登録請求の範囲】
【請求項１】
複数の回転体と、該回転体に巻回されて前記回転体間を移動する紐体を備え、同紐体に被乾燥物を掛けて乾燥させる物干し具であって、
前記紐体は、
紐体本体と、
該紐体本体から突出する、開口部が形成された突出部を備える
物干し具。
【請求項２】
構造物に取り付けられると共に前記回転体を支持する支持体を備える
請求項１に記載の物干し具。
【請求項３】
前記回転体の数が２つであると共に、
前記突出部の形状がアーチ状である
請求項１または請求項２に記載の物干し具。
【考案の詳細な説明】
【技術分野】
【０００１】
本考案は物干し具に関する。詳しくは、複数の回転体に、開口部が形成された突出部を備える紐体を巻回させて紐体を移動可能とし、一箇所に止まって洗濯物を干したり取り込んだりできるようにした物干し具に係るものである。
【背景技術】
【０００２】
洗濯物を干す場合、物干し竿等に洗濯物を直接掛けたり、洗濯物をハンガー等に掛けてから、このハンガー等を物干し竿等に吊り下げたりするが、洗濯物の量が多いと物干し竿等の端から端にわたって洗濯物を干すために移動しなければならず、体に負担がかかっていた。
【０００３】
そこで、洗濯物を干す作業が簡便に行なえる器具が幾つか提案されている。例えば特開平１０−１５１２９８号公報には、物干し竿に簡単に装着できる移動式物干し具によって、移動式物干し具に掛けられたハンガーを、手の届きにくい位置へも自由に移動させることが記載されている。
【０００４】
図１は、従来の物干し具の実施態様を示す概略斜視図である。物干し具本体１０１には、物干し具本体をスライドまたは１８０°回転させる時に使う取っ手１０２と、風によるハンガー１０５の移動を抑制する突起１０３が取り付けられており、物干し具本体はスライドするよう物干し竿１０４に取り付けられている。
【考案の開示】
【考案が解決しようとする課題】
【０００５】
しかしながら、従来の物干し具では、ハンガー等を取り込む際に、物干し具本体を１８０°回転させて物干し具本体に掛かっていたハンガーを物干し竿に掛け、そして物干し具本体をスライドさせて、上部に移動した取っ手にハンガーを引っ掛けて１箇所に集め、手元へ引き寄せているものの、ハンガーと物干し竿との間の滑り具合が悪いと、ハンガーが取っ手に絡んでハンガーが落下する可能性もあり、また、ハンガーを使わず物干し竿に直に掛けたタオル等を取り込むために、取っ手にタオル等を引っ掛けて取っ手と共にタオル等をスライドさせると、タオル等が磨耗する可能性があり問題であった。
【０００６】
本考案は、以上の点に鑑みて創案されたものであり、一箇所に止まって洗濯物を円滑に干せると共に取り込むことができる物干し具を提供することを目的とする。
【課題を解決するための手段】
【０００７】
上記の目的を達成するために、本考案の物干し具は、複数の回転体と、該回転体に巻回されて前記回転体間を移動する紐体を備え、同紐体に被乾燥物を掛けて乾燥させる物干し具であって、前記紐体は、紐体本体と、該紐体本体から突出する、開口部が形成された突出部を備える。
【０００８】
ここで、開口部を有する突出部によって、例えばハンガーの鉤部を開口部に通してハンガーを紐体に掛けることで、風等によるハンガーの移動を抑制できる。
【考案の効果】
【０００９】
本考案に係る物干し具によって、一箇所に止まって洗濯物を円滑に干せると共に取り込むことができる。
【考案を実施するための最良の形態】
【００１０】
以下、本考案の実施の形態について図面を参照しながら説明し、本考案の理解に供する。図２は、本考案を適用した物干し具の一例を示す概略平面図である。物干し具１は、滑車ボルト２Ｃを軸に回転する滑車回転車部２Ａと滑車回転車部を外側から支持する滑車支持部２Ｂからそれぞれなる２つの滑車２と、滑車回転車部に巻回されて滑車回転車部の回転により２つの滑車間を移動する紐体と、滑車を壁等の構造物に取り付ける取り付け具４から構成されており、紐体２は、紐体本体３Ａと、紐体本体から突出する、開口部３Ｃが形成されたアーチ状突出部からなる。
【００１１】
ここで、滑車は回転できればどのような材質で構成されていてもよく、例えば金属製、プラスチック製であってもよい。また、滑車支持部は滑車回転車部を支持できればどのような形状でもよく、例えば三角形状、四角形状、窓枠等と嵌合するように構成された凹形状でもよい。
【００１２】
また、紐体は紐体本体と紐体本体から突出する、開口部が形成された突出部を備えていれば、どのような材質で構成されていてもよく、例えばポリプロピレン製、麻製、ゴム製であってもよい。更に、突出部は、紐体本体から突出し、開口部が形成されていればアーチ状でなくてもよく、例えば三角形状、四角形状であってもよい。また、突出部は、紐体本体から突出し、開口部が形成されていれば、必ずしも図２に示すように紐体本体の一方の側のみから突出していなくてもよく、紐体本体を挟んでその両側から突出していてもよい。
【００１３】
また、取り付け具は、物干し具を構造物に取り付けられれば必ずしも物干し具に備わっていなくてもよい。また、取り付け具は、物干し具を構造物に取り付けられれば、どのような形状や材質で構成されていてもよい。
【００１４】
図３は、図２に示したＡ−Ａ'線に沿った概略断面図である。紐体本体３Ａと接する滑車回転車部２Ａの面は、紐体本体の形状と適合するよう湾曲している。ここで、紐体本体と接する滑車回転車部の面は、紐体を巻回することができれば湾曲していなくてもよい。
【００１５】
図４は、本考案を適用した物干し具の実施態様の一例を示す概略説明図である。物干し具は、集合住宅のベランダに設置された界壁等の構造物６に、取り付け具４を介して固定ボルト５によって取り付けられており、洗濯物１０が掛けられたハンガー９の鉤部を物干し具のアーチ状突出部３Ｂに形成された開口部３Ｃに通してハンガー９が紐体３に掛けられており、また、他の洗濯物１０は紐体３に直接掛けられている。紐体３は、その一端が固定ボルト５によって構造物６に取り付けられた棒状の止め具８によって固定されており、紐体３が２つの滑車間を紐体移動方向７に移動しないようにしている。
【００１６】
ここで、物干し具が構造物に取り付けられれば、固定ボルトを用いなくてもよく、例えば取り付け具を界壁等の枠と嵌合させて物干し具を構造物に取り付けてもよい。
【００１７】
図５は、本考案を適用した物干し具を構造物に取り付ける態様の他の一例を示す概略説明図である。図４に示す態様とは異なり、取り付け具４を直接、構造物６に取り付けずに、２つの固定具１１を取り付け具４と構造物６にそれぞれ取り付けて、これら固定具を緊結弛み調整ロープ１２によって連結することによって、物干し具を構造物に取り付けている。
【００１８】
図６は、本考案を適用した物干し具の実施態様の他の一例を示す概略説明図である。物干し具は、一端が上側の窓枠１５に取り付けられて上側の窓枠１５に対して垂直に延びた第１の支持棒１３に取り付け具４を介して固定ボルト５によって取り付けられており、この第１の支持棒は、一端が下側の窓枠１５に取り付けられると共にその他端が第１の支持棒と連結した第２の支持棒１４によって支えられている。第１の支持棒１３に取り付けられた物干し具は、ベランダ１８に設置された手すり１７を越えて、ベランダ１８や屋根１９よりも外側に配置されている。
【００１９】
ここで、第１の支持棒１３を支えられれば、第２の支持棒１４の他端はサッシ１６に取り付けられてもよい。また、第１の支持棒１３のみで物干し具を支えられれば、第２の支持棒１４を用いなくてもよい。更に、物干し具を支えることができる支持体であれば棒状でなくてもよく、例えば板状でもよいし、金属製やプラスチック製等どのような材質で構成されていてもよい。また、物干し具を支えることができる支持体であれば棒状でなくてもよく、例えば板状でもよいし、金属製やプラスチック製等どのような材質で構成されていてもよい。
【００２０】
このような構成により本考案を適用した物干し具は、滑車の回転を利用して、一箇所に止まって紐体に洗濯物を順次掛けることができると共に一箇所に止まって洗濯物を順次取り込むことができる。また、直に紐体に掛けられた洗濯物を移動させる場合、紐体を移動させるので洗濯物が紐体によって擦れる心配もない。更に、紐体の突出部に形成された開口部に、例えば洗濯物が掛けられたハンガーの鉤部を通してハンガーを紐体に掛けることで、単に物干し竿等にハンガーを掛けた場合に比べて風によるハンガーの移動を抑制できる。また、窓枠等にその一端を取り付け、窓枠等に対して垂直に延びた支持体に物干し具を取り付けることで、ベランダの外側の空間を有効に利用することができる。また、人の出入りが出来ないほど小さな窓の窓枠等にその一端を取り付け、窓枠等に対して垂直に延びた支持体に物干し具を取り付けることで、通常、洗濯物を干さない、人の出入りが出来ないほど小さな窓の外側の空間をも有効に利用できる。
【図面の簡単な説明】
【００２１】
【図１】従来の物干し具の実施態様を示す概略斜視図である。
【図２】本考案を適用した物干し具の一例を示す概略平面図である。
【図３】図２に示したＡ−Ａ'線に沿った概略断面図である。
【図４】本考案を適用した物干し具の実施態様の一例を示す概略説明図である。
【図５】本考案を適用した物干し具を構造物に取り付ける態様の他の一例を示す概略説明図である。
【図６】本考案を適用した物干し具の実施態様の他の一例を示す概略説明図である。
【符号の説明】
【００２２】
１    物干し具
２    滑車
２Ａ  滑車回転車部
２Ｂ  滑車支持部
２Ｃ  滑車ボルト
３    紐体
３Ａ  紐体本体
３Ｂ  アーチ状突出部
３Ｃ  開口部
４    取り付け具
５    固定ボルト
６    構造物
７    紐体移動方向
８    止め具
９    ハンガー
１０    洗濯物
１１    固定具
１２    緊結弛み調整ロープ
１３    第１の支持棒
１４    第２の支持棒
１５    窓枠
１６    サッシ
１７    手すり
１８    ベランダ
１９    屋根
【図１】
0003109296.tif 000003
【図２】
0003109296.tif 000004
【図３】
0003109296.tif 000005
【図４】
0003109296.tif 000006
【図５】
0003109296.tif 000007
【図６】
0003109296.tif 000008